(57)【要約】      （修正有）【課題】鞄、ベルト、テーブルクロスなどの装飾性、美粧風合い、雅性などを醸し出すことが望まれる多種多様な製品に対する汎用性に優れ、今までないデザインや風合いを持たせることのできる生地素材を提供する。【解決手段】第１及び第２の２種類の糸１，２によって形成された開き格子の列を多数列に亘って備えていて、列に属する多数の開き格子を、第１糸１に沿って配備した幅狭の天然皮革でなる帯状皮革５によって塞ぐ。帯状皮革５は、その表側と裏側とを横切って延びる第２糸２によって定位置に保持されている。生地素材Ａの表側と裏側とから帯状皮革５と共に第１糸１及び第２糸２が見えるようになっている。【選択図】図２
0003104121.tif 000002
【実用新案登録請求の範囲】
【請求項１】
互いに交差して延びる第１及び第２の２種類の糸によって形成された開き格子の列を多数列に亘って備えていて、上記列に属する多数の開き格子が、それらの開き格子の両側に位置する上記第１糸に沿って配備されてそれらの開き格子に挿通された幅狭の帯状皮革によって塞がれ、その帯状皮革がその表側と裏側とを横切って延びる上記第２糸によって定位置に保持され、当該生地素材の表側と裏側とから上記帯状皮革と共に上記第１糸及び第２糸が見えるようになっていることを特徴とする生地素材。
【請求項２】
各列のそれぞれに属する多数の開き格子を塞いでいる上記帯状皮革の全部が、柔軟な天然皮革でなる請求項１に記載した生地素材。
【請求項３】
上記第１糸及び上記第２糸の色と上記帯状皮革の色とが異なっている請求項１又は請求項２に記載した生地素材。
【請求項４】
任意に選択した箇所で相隣接して配備されている２条の上記第２糸のうちの一方が上記帯状皮革の表側を横切り、その他方が上記帯状皮革の裏側を横切っていて、帯状皮革を横切っているそれらの第２糸によって帯状皮革が当該生地素材に保持されている請求項１ないし請求項３のいずれか１項に記載した生地素材。
【請求項５】
上記第２糸が、上記帯状皮革の長手方向に並んだ複数条の糸要素の集まりによって幅広に形成されている請求項１ないし請求項４のいずれか１項に記載した生地素材。
【請求項６】
上記開き格子が矩形の開口を形成している請求項１ないし請求項５のいずれか１項に記載した生地素材。
【請求項７】
上記帯状皮革に、端部同士を接合して長さを伸ばした天然皮革が含まれ、その天然皮革の接合箇所では、片側の天然皮革の端部に形成された傾斜端面と他側の天然皮革の端部に形成された傾斜端面とを重ね合わせてその重なり箇所を接着剤で接合することにより、それら両方の天然皮革の表面同士及び裏面同士を面一に連続させている請求項１ないし請求項６のいずれか１項に記載した生地素材。
【考案の詳細な説明】
【技術分野】
【０００１】
本考案は、生地素材、特に、鞄などの袋物やベルトといった装身具、テーブルクロスなどの敷物といった調度品、その他の装飾性、美粧風合い、雅性などを醸し出すことが望まれる製品に好適に用い得る生地素材に関する。
【背景技術】
【０００２】
従来、生地素材として、布地だけを使用したもの、合成皮革や天然皮革だけを使用したものなどが広く知られ、また、柔軟な細幅の合成皮革を格子織りした革織物も知られている。一方、特開２００３−１３１００号公報には、細幅切りして得られる毛皮テープ又は毛皮糸を、ベースとなるニット生地の素線に螺旋状に巻き付けて絡ませてなる毛羽立ち毛皮製品についての記載があり、特開平６−２９４０４１号公報には、美粧風合いや高雅性の得られる再織物についての記載がある。
【０００３】
ところで、近時では、鞄などの装身具にシンプルでありながら今までにないデザインや風合いを持たせたいという要求があるのに対し、上掲の布だけあるいは天然皮革だけを使用したものや革織物ではその要求に十分に応えることができない。また、特開２００３−１３１００号公報によって開示されている毛羽立ち毛皮製品や特開平６−２９４０４１号公報によって開示されている再織物は、装飾性や美粧風合いといった外観的なデザイン要素が考慮されているとは云えるものの、そのデザインの凝り度合から判断して多種多様な用途に対する汎用性がそれほど高くないと考えられる。たとえば、特開２００３−１３１００号公報で開示されている毛羽立ち毛皮製品は、テーブルクロスや食卓の個人用お膳敷などに使用される敷物、湯飲み茶わんやワイングラスなどを載せるコースタなどの用途には不向きであると云える。特開平６−２９４０４１号公報によって開示されている再織物についても同様である。
【考案の開示】
【考案が解決しようとする課題】
【０００４】
本考案は以上の状況の下でなされたものであり、冒頭で挙げた装身具や調度品といった装飾性、美粧風合い、雅性などを醸し出すことが望まれる多種多様な製品に対する汎用性に優れ、しかも、今までないデザインや風合いを持たせたいという要求にも十分に応えることのできる生地素材を提供することを目的とする。
【課題を解決するための手段】
【０００５】
本考案に係る生地素材は、互いに交差して延びる第１及び第２の２種類の糸によって形成された開き格子の列を多数列に亘って備えていて、上記列に属する多数の開き格子が、それらの開き格子の両側に位置する上記第１糸に沿って配備されてそれらの開き格子に挿通された幅狭の帯状皮革によって塞がれ、その帯状皮革がその表側と裏側とを横切って延びる上記第２糸によって定位置に保持され、当該生地素材の表側と裏側とから上記帯状皮革と共に上記第１糸及び第２糸が見えるようになっている、というものである。
【０００６】
この構成を備えた生地素材において、第１及び第２の２種類の糸によって形成された開き格子を細幅の帯状皮革によって塞いでいるというデザイン、その帯状皮革の表側と裏側とを横切って第２糸が延びているというデザイン、当該生地素材の表側と裏側とから上記帯状皮革と共に上記第１糸及び第２糸が見えるようになっているというデザインは斬新なデザインである。また、当該生地素材の全体の外観は、皮革が第１糸や第２糸で多数の小区画に仕切られたような外観になって、皮革に特有の風合いや雅性を発揮する。その上、毛羽立ちなどを持たせる必要がないので鞄やベルトの生地素材としては勿論、テーブルクロスや敷物、コースタなどの用途にも好適に用い得るようになってその汎用性に富む。
【０００７】
本考案では、各列のそれぞれに属する多数の開き格子を塞いでいる上記帯状皮革の全部が、柔軟な天然皮革でなるという構成を採用することが可能で、それによると、全部の帯状皮革に用いられている柔軟な天然皮革による雅性や高級感によって、当該生地素材の雅性や高級感がいっそう顕著に発揮されるようになる。
【０００８】
本考案では、上記第１糸及び上記第２糸の色と上記帯状皮革の色とが異なっているものであってもよい。これによれば、第１糸及び上記第２糸の色と帯状皮革の色との相違によって、色彩面から外観のデザインに変化を持たせることが容易に可能になる。
【０００９】
本考案では、任意に選択した箇所で相隣接して配備されている２条の上記第２糸のうちの一方が上記帯状皮革の表側を横切り、その他方が上記帯状皮革の裏側を横切っていて、帯状皮革を横切っているそれらの第２糸によって帯状皮革が当該生地素材に保持されていることが望ましく、これによると、縫着などの面倒な保持手段を採用することなく、帯状皮革を当該生地素材に保持させることが可能である。しかも、当該生地素材を編物とする場合には、第１糸や第２糸を編むときに、併せて帯状皮革を編み込むことができるようになるという利点がある。
【００１０】
本考案では、上記第２糸が、上記帯状皮革の長手方向に並んだ複数条の糸要素の集まりによって幅広に形成されているものであってもよく、これによれば、幅広に形成された第２糸が目立ちやすくなるので、第２糸自体の糸組織に特殊性を持たせたりした場合にはその特殊性を外観デザインに生かしやすくなるという利点がある。
【００１１】
本考案では、上記開き格子が矩形の開口を形成しているという構成を採用することが可能であり、これによれば、当該生地素材を編物とする場合に、第１糸や第２糸を編むときに、併せて帯状皮革を編み込むことができるようになるという利点がある。また、デザインのシンプル性も発揮させやすい。
【００１２】
本考案では、上記帯状皮革に、端部同士を接合して長さを伸ばした天然皮革が含まれ、その天然皮革の接合箇所では、片側の天然皮革の端部に形成された傾斜端面と他側の天然皮革の端部に形成された傾斜端面とを重ね合わせてその重なり箇所を接着剤で接合することにより、それら両方の天然皮革の表面同士及び裏面同士を面一に連続させていることが望ましい。
【００１３】
ところで、天然皮革はその入手経路の関係から長尺の帯状皮革を得ることに制約があり、この点が長尺物を得やすい合成皮革と異なっている。そのため、帯状皮革に天然皮革を用いると、長尺の生地素材を得るためにはどうしても天然皮革の端部同士を接合してその長さを伸ばす必要が生じる。その場合、この考案のように、天然皮革の端部に形成した傾斜端面同士を重ね合わせてその重なり箇所を接着剤で接合することにより、それら両方の天然皮革の表面同士及び裏面同士を面一に連続させておくと、帯状皮革の接合箇所が当該生地素材の組織の中で凹凸を生じたりすることがなくなり、編物とする場合の編組織の形成工程や、当該生地素材を加工して製品を製作する工程で、違和感なくそれらの工程を実行することが可能になる。また、接合箇所が外観上の違和感を生じるといった事態も起こらない。
【考案の効果】
【００１４】
以上のように、本考案に係る生地素材によれば、鞄などの袋物やベルトといった装身具、テーブルクロスなどの敷物といったの調度品、その他の装飾性、美粧風合い、雅性などを醸し出すことが望まれる多種多様な製品に対する汎用性に優れ、しかも、今までないデザインや風合いを持たせたいという要求にも十分に応えることが可能になる。
【考案を実施するための最良の形態】
【００１５】
図１は本考案の実施形態に係る生地素材に用いられるベース組織ａを概略平面図で示した説明図、図２は同生地素材Ａの編組織を概略平面図で示した説明図である。
【００１６】
図１のベース組織ａは、互いに交差して延びる第１糸１と第２糸２とを備えていて、ベース組織ａの耳部に位置する第１糸１を含んで１条おきの第１糸１が第２糸２との交差箇所イで第２糸２に対し滑って位置ずれしない形態で第２糸２と編組されているのに対し、残りの１条おきの第１糸１が第２糸２との交差箇所ロで第２糸２を挾み付けた形態で編組されている。これに対し、第２糸２は、全部の第１糸１に対し滑って位置ずれしない形態で第１糸１と編組されている。また、第１糸１及び第２糸２の２種類の糸によって略矩形の開き格子３が形成されている。そして、このベース組織ａには、開き格子３の列４（以下「開き格子列」という）が多数列に亘って備わっている。
【００１７】
図２おいて、５は細幅の帯状皮革を示している。この帯状皮革５は、隣合う２条の第１糸１，１、すなわち開き格子５の両側に位置する２条の第１糸１，１に沿って配備されている。さらに具体的には、それぞれの開き格子５に挿通されることによって、第２糸２の上側と下側とを交互に通過して延びており、この状態で帯状皮革５が第２糸２によって定位置に保持されている。言い換えると、任意に選択した箇所で相隣接して配備されている２条の上記第２糸２，２のうちの一方が帯状皮革５の表側を横切り、その他方が帯状皮革５の裏側を横切っていて、帯状皮革５を横切っているそれらの第２糸２，２によって帯状皮革５が当該生地素材Ａに保持されている。また、第１糸１に対して第２糸２が滑って位置ずれしない形態で編み込まれている交差箇所イ，イの相互間に配備されている２枚の帯状皮革５，５と、それに隣接している別の２枚の帯状皮革５，５との間では、同じ第２糸２が互いに異なる側を横切っている。さらに、帯状皮革５の幅寸法を、隣合う第１糸１，１の相互の間隔寸法と略同等の寸法に形成することにより、１枚の帯状皮革５によって同一の開き格子列４に属する各開き格子３を塞いでいる。したがって、それぞれの帯状皮革５の表側と裏側とでは第２糸２が横切っていると共に、その帯状皮革５の両側には第１糸１が位置している。このため、当該生地素材Ａでは、その表側と裏側とから帯状皮革５と第１糸１及び第２糸２が見えるようになっていると共に、帯状皮革５が第１糸１や第２糸２で仕切られたレンガ積み模様を描いている。
【００１８】
このように構成された生地素材Ａによると、第１及び第２の２種類の糸１，２によって形成された開き格子３を細幅の帯状皮革５が塞ぎ、その帯状皮革５の表側と裏側とを横切って第２糸２が延び、しかも、生地素材Ａの表側と裏側とから帯状皮革５と共に第１糸１及び第２糸２が見えることによってデザイン面での斬新性が発揮されるだけでなく、帯状皮革５が第１糸１や第２糸２でレンガ積み模様に仕切られたような外観になるので、帯状皮革５の材料である皮革に特有の風合いや雅性が発揮される。したがって、装飾性、美粧風合い、雅性などを醸し出すことが望まれる製品、たとえば鞄やベルトに関する用途は勿論、テーブルクロスや敷物、コースタなどの用途にも好適に用い得て、汎用性にも富む生地素材Ａが得られる。
【００１９】
このような生地素材Ａにおいて、全部の帯状皮革５に柔軟な天然皮革を用いると、天然皮革によって醸し出される雅性や高級感によって当該生地素材Ａの雅性や高級感がいっそう顕著に発揮されることが判っている。また、第１糸１及び第２糸２の色と帯状皮革５の色とを異ならせることもデザインの斬新性や装飾性を高める上で有効である。たとえば、第１糸１及び第２糸２にオーク系ないしブラウン系の色の糸を用い、全部の帯状皮革５にワインカラー系の色の天然皮革を用いたり、あるいは、第１糸１と第２糸２と帯状皮革５の色とを互いに異なるものにしたりすることが可能であり、そのようにすると、第１糸１及び第２糸２の色と帯状皮革５の色との相違によって、色彩面から外観のデザインに変化を持たせることが容易に可能である。
【００２０】
また、生地素材Ａの要部を拡大して写実的に表した図３に示したように、第２糸２を、帯状皮革５の長手方向に並んだ複数条（図例では４条）の糸要素２１…の集まりによって幅広に形成しておくことも可能であり、そのようにすると、幅広に形成された第２糸２が目立ちやすくなって、その第２糸２に１条の糸要素が用いられているものと比べると重厚感や高級感が向上する。また、第２糸２自体の糸組織に特殊性を持たせたりした場合にはその特殊性を外観デザインに生かされるようになる。さらに、第１糸１や第２糸２のピッチや帯状皮革５の幅寸法を変化させたりすることによってデザインを変化させることが可能である。
【００２１】
ところで、天然皮革はその入手経路の関係から長尺ものを入手することが困難であるという事情がある。そのため、帯状皮革５に天然皮革を用いると、長尺の生地素材Ａを得るためにはどうしても天然皮革の端部同士を接合してその長さを伸ばす必要が生じる。そこで、この実施形態では、図４（Ａ）に説明的に示したように、帯状皮革５，５としての天然皮革の端部に形成した傾斜端面５１，５１同士を重ね合わせてその重なり箇所を接着剤で接合することにより、同（Ｂ）のように、それら両方の天然皮革の表面同士及び裏面同士を面一に連続させている。こうしておくと、帯状皮革５，５の接合箇所が生地素材Ａの組織の中で凹凸を生じたりすることがなくなり、編物とする場合の編組織の形成工程や、当該生地素材を加工して製品を製作する工程で、違和感なくそれらの工程を実行することが可能になる。また、接合箇所が外観上の違和感を生じるといった事態も起こらない。
【００２２】
この実施形態の生地素材Ａは、第１糸１と第２糸２に帯状皮革５を編み込んだ編物として形成されており、第１糸１の相互間ピッチや第２糸２の相互感ピッチが５ｍｍ程度に定められ、天然皮革でなる帯状皮革の幅寸法も５ｍｍ程度に定められている。このような生地素材Ａは、鞄などの袋物やベルトといった装身具、テーブルクロスなどの敷物といったの調度品の製作に好適に用い得る。また、編組工程をトーションレース機などを用いて自動で実行することができるという利点もある。
【図面の簡単な説明】
【００２３】
【図１】本考案の実施形態に係る生地素材に用いられるベース組織を概略平面図で示した説明図である。
【図２】同生地素材の編組織を概略平面図で示した説明図である。
【図３】生地素材Ａの要部を拡大して写実的に表した平面図である。
【図４】（Ａ）は帯状皮革の長さを延長する際の接合箇所の形状を示した説明図、（Ｂ）は同接合箇所の側面図である。
【符号の説明】
【００２４】
１  第１糸
２  第２糸
３  開き格子
４  開き格子列（開き格子の列）
５  帯状皮革
２１  糸要素
５１  傾斜端面
【図１】
0003104121.tif 000003
【図２】
0003104121.tif 000004
【図３】
0003104121.tif 000005
【図４】
0003104121.tif 000006